(57)【要約】【課題】使用者の要望に合わせてシート材の高さ位置を簡単に調節することが可能なロールスクリーン構造体、オーニング装置およびベランダ構造を提供すること。【解決手段】ロールスクリーン構造体（１０）は、ホルダ（１１）と、ロール状に巻かれて、ホルダ（１１）から下方に向かって引き出し可能に設けられたシート材（１４）と、シート材（１４）の先端に取り付けられた先端骨材（１８）と、先端骨材（１８）とホルダ（１１）との間に位置し、シート材（１４）の幅方向に沿って延び、上下動自在に設けられた中間骨材（１７）とを備えている。【選択図】図６
2020070606.tif 000002
【特許請求の範囲】
【請求項１】
ホルダと、
ロール状に巻かれて、前記ホルダから下方に向かって引き出し可能に設けられたシート材と、
前記シート材の先端に取り付けられた先端骨材と、
前記先端骨材と前記ホルダとの間に位置し、前記シート材の幅方向に沿って延び、上下動自在に設けられた中間骨材とを備えた、ロールスクリーン構造体。
【請求項２】
前記中間骨材は、前記シート材を挟んで表側に設けられる表側部材と、裏側に設けられる裏側部材とを含む、請求項１に記載のロールスクリーン構造体。
【請求項３】
前記ホルダは、前記シート材をロール状に巻き付ける主ロールと、前記主ロールから離れて位置し、前記シート材の送り出し方向を転換させる中継ロールとを含む、請求項１または２に記載のロールスクリーン構造体。
【請求項４】
前記ホルダは、底面に開口部を有する箱状体であり、
前記開口部は、前記中継ロールの下方に設けられ、
前記中継ロールと前記開口部との間には、前記先端骨材と前記中間骨材とが収納される
、請求項３に記載のロールスクリーン構造体。
【請求項５】
前記シート材を収納方向に付勢するバネをさらに備え、
前記ホルダは、前記シート材の収納時に、前記中間骨材の上面に当接するストッパ部を有し、
前記中間骨材が前記ストッパ部に当接した状態において、前記先端骨材の下面は、前記ホルダの前記開口部の高さ位置と面一、または、前記開口部よりも奥まって位置する、請求項４に記載のロールスクリーン構造体。
【請求項６】
建物の外壁に形成された開口枠の上部枠に沿って設けられるホルダと、
ロール状に巻かれて、前記ホルダから下方に向かって引き出し可能に設けられたシート材と、
前記シート材の先端に取り付けられた先端骨材と、
前記先端骨材と前記ホルダとの間に位置し、前記シート材の幅方向に沿って延び上下動自在に設けられた中間骨材と、
前記建物の開口枠の両側枠に沿って設けられ、前記外壁に沿う位置と、前記外壁からほぼ垂直に立ち上がる位置とに位置変更可能に設けられる一対の支持部材とを備え、
前記中間骨材と前記一対の支持部材の先端は、互いに係合し合う係合部および被係合部を含む、オーニング装置。
【請求項７】
前記支持部材は、物干し杆の先端を移動可能に受け入れる溝部を含む、請求項６に記載のオーニング装置。
【請求項８】
請求項６または７に記載のオーニング装置と、
前記建物の外壁から屋外に向かって張り出す床面と、
前記床面の先端位置から上方に立ち上がって延びる手摺部とを備え、
前記先端骨材と前記手摺部の先端部とは、互いに係合し合う係合部および被係合部を含む、ベランダ構造。
【発明の詳細な説明】
【技術分野】
【０００１】
この発明は、ロールスクリーン構造体、オーニング装置およびベランダ構造に関する。
【背景技術】
【０００２】
一般的に、軒先がある建物は、ある程度雨よけや日よけをすることが可能であるが、軒先がない建物は、雨よけや日よけをすることができない。従来から、軒先の有無に関わらず、雨よけや日よけをする技術が知られている。
【０００３】
たとえば、特開平７−８８２８９号公報（特許文献１）には、窓枠の上方に折りたたみ可能に設けられた屋根付き簡易物干しが開示されている。屋根付き物干しは、窓枠の上方にシェード収納部が取り付けられ、窓枠の両側に設けられる一対のアームの先端に掛け渡されたロッドにシェードの先端が取り付けられ、一対のアームを水平にすることで、シェードが斜めに延びて雨除けになることが開示されている。
【０００４】
また、特開２０１４−１００４４６号公報（特許文献２）には、ベランダの天井にロールスクリーンを取り付け、引き出したロールスクリーンを物干し杆に取り付けることが開示されている。
【０００５】
さらに、実用新案登録第３０５４９０９号公報（特許文献３）には、ロールスクリーンを物干し杆に取り付け、引き出したロールスクリーンをベランダに取り付けることが開示されている。
【先行技術文献】
【特許文献】
【０００６】
【特許文献１】特開平７−８８２８９号公報
【特許文献２】特開２０１４−１００４４６号公報
【特許文献３】実用新案登録第３０５４９０９号公報
【発明の概要】
【発明が解決しようとする課題】
【０００７】
特許文献１の簡易物干しは、シェードをシェード収納部に収納するか、屋根のように広げることしかできない。そのため、たとえば雨が強い場合、窓の全体を覆って目隠しとしたい場合などは、特許文献１の簡易物干しでは対応することができない。
【０００８】
また、特許文献２，３の装置は、ベランダの上下方向全体を覆うか、覆わないかしか選択することができない。そのため、窓の一部を覆わないでおきたい場合などは、特許文献２，３の装置では対応することができない。このように、従来の装置では、使用者の要望に沿った使用をすることができなかった。
【０００９】
本発明は、上記のような課題を解決するためになされたものであって、その目的は使用者の要望に合わせてシート材の高さ位置を簡単に調節することが可能なロールスクリーン構造体、オーニング装置およびベランダ構造を提供することを目的とする。
【課題を解決するための手段】
【００１０】
本発明の一態様に係るロールスクリーン構造体は、ホルダと、ロール状に巻かれて、ホルダから下方に向かって引き出し可能に設けられたシート材と、シート材の先端に取り付けられた先端骨材と、先端骨材とホルダとの間に位置し、シート材の幅方向に沿って延び、上下動自在に設けられた中間骨材とを備えている。
【００１１】
好ましくは、中間骨材は、シート材を挟んで表側に設けられる表側部材と、裏側に設けられる裏側部材とを含む。
【００１２】
好ましくは、ホルダは、シート材をロール状に巻き付ける主ロールと、主ロールから離れて位置し、シート材の送り出し方向を転換させる中継ロールとを含む。
【００１３】
好ましくは、ホルダは、底面に開口部を有する箱状体であり、開口部は、中継ロールの下方に設けられ、中継ロールと開口部との間には、先端骨材と中間骨材とが収納される。
【００１４】
好ましくは、シート材を収納方向に付勢するバネをさらに備え、ホルダは、シート材の収納時に、中間骨材の上面に当接するストッパ部を有し、中間骨材がストッパ部に当接した状態において、先端骨材の下面は、ホルダの開口部の高さ位置と面一、または、開口部よりも奥まって位置する。
【００１５】
本発明の一態様に係るオーニング装置は、建物の外壁に形成された開口枠の上部枠に沿って設けられるホルダと、ロール状に巻かれて、ホルダから下方に向かって引き出し可能に設けられたシート材と、シート材の先端に取り付けられた先端骨材と、先端骨材とホルダとの間に位置し、シート材の幅方向に沿って延び上下動自在に設けられた中間骨材と、建物の開口枠の両側枠に沿って設けられ、外壁に沿う位置と、外壁からほぼ垂直に立ち上がる位置とに位置変更可能に設けられる一対の支持部材とを備え、中間骨材と一対の支持部材の先端は、互いに係合し合う係合部および被係合部を含む。
【００１６】
支持部材は、物干し杆の先端を移動可能に受け入れる溝部を含む。
【００１７】
本発明の一態様に係るベランダ構造は、オーニング装置と、建物の外壁から屋外に向かって張り出す床面と、床面の先端位置から上方に立ち上がって延びる手摺部とを備え、先端骨材と手摺部の先端部とは、互いに係合し合う係合部および被係合部を含む。
【発明の効果】
【００１８】
本発明によれば、使用者の要望に合わせてシート材の高さ位置を簡単に調節することが可能なロールスクリーン構造体、オーニング装置およびベランダ構造を提供することを目的とする。
【図面の簡単な説明】
【００１９】
【図１】本発明の実施の形態に係るベランダ構造の使用形態を示す模式図である。
【図２】本発明の実施の形態に係るベランダ構造を示す模式的な側面図である。
【図３】オーニング装置を示す側面図である。
【図４】支持部材および物干し杆を取り出して示す図である。
【図５】支持部材のロック方法を示す模式図である。
【図６】ロールスクリーン構造体を示す断面図である。
【図７】図３に示す状態からシート材を引き出し、中間骨材を支持部材の先端に係合させた状態を示す側面図である。
【図８】図７に示す状態からさらにシート材を引き出し、先端骨材を手摺部の先端に係合させた状態を示す側面図である。
【図９】ロールスクリーン構造体の変形例を示す断面図である。
【発明を実施するための形態】
【００２０】
本発明の実施の形態について図面を参照しながら詳細に説明する。なお、図中同一または相当部分には同一符号を付してその説明は繰り返さない。
【００２１】
＜ベランダ構造について＞
図１，２を参照しながら、本実施の形態に係るベランダ構造１について説明する。図２において、矢印Ａ１で示す方向は上下方向であり、矢印Ａ２で示す方向は屋外方向であり、その反対方向は屋内方向である。なお、図２におけるロールスクリーン構造体１０は、理解容易のため、透視図にして示す。
【００２２】
特に図１（Ｄ）および図２を参照して、本実施の形態に係るベランダ構造１は、建物の外壁１００から屋外に向かって張り出す床面３と、床面３の先端位置から上方に立ち上がって延びる手摺部５と、オーニング装置２とを備える。ベランダ構造１が用いられる建物は、たとえば住宅であり、一戸建て住宅であってもよいし、マンションやアパートなどの複数の住戸を備える集合住宅であってもよい。ベランダ構造１は、複数階に設けられるだけでなく、１階にも設けられていてもよい。
【００２３】
建物の外壁１００には、開口枠１０１が設けられている。本実施の形態の開口枠１０１は、典型的には窓であり、出入り口などの扉などであってもよい。本実施の形態では、開口枠１０１を窓という。図１に示すように、窓１０１は、少なくとも上部枠１０２と一対の側枠１０３とを含む。
【００２４】
図２に示すように、床面３は、平坦面であり、屋内の床よりも高さが低く設けられているが、屋内の床と同一高さであってもよい。
【００２５】
手摺部５は、その上方に手摺としての先端部５１が設けられている。手摺部５の先端部５１には、後述するロールスクリーン構造体１０の先端骨材１８を係合することが可能である。なお、手摺部５は、実際に手摺となる部分を有していなくてもよい。
【００２６】
オーニング装置２は、使用者の要望に沿って複数の状態をとり得る。オーニング装置２は、図１（Ａ）のようにオーニング装置２を使用しない状態、図１（Ｂ）のように洗濯物の天日干しをする状態、図１（Ｃ）のように日よけや弱い雨の雨除けなどをする状態、図１（Ｄ）のように目隠しや強い雨の雨除けなどをする状態との４つの状態に変更することができる。これにより、本実施の形態のオーニング装置２は、シート材１４の高さ位置を簡単に調節することができる。
【００２７】
＜オーニング装置について＞
次に、オーニング装置２について、詳細に説明する。なお、図３におけるロールスクリーン構造体１０は、理解容易のため透視図で示している。図１，３を参照して、オーニング装置２は、ロールスクリーン構造体１０と支持部材２０とを含む。ロールスクリーン構造体１０は、窓１０１の上部枠１０２に沿って設けられる。ロールスクリーン構造体１０は、日または雨を遮蔽するシート材１４を支持する。ロールスクリーン構造体１０については、後述する。
【００２８】
本実施の形態の支持部材２０は、複数の物干し杆４を支持するものである。支持部材２０は、外壁１００に取り付けられ、窓１０１の両側枠１０３に沿って設けられる。つまり、支持部材２０は、窓１０１を挟んで向かい合って設けられている。
【００２９】
図４（Ａ）は支持部材２０を取り出して示す側面図であり、図５は支持部材のロック方法を示す模式図である。図４（Ａ），図５をさらに参照して、支持部材２０は、たとえばアルミなどで形成されている。支持部材２０は、長尺状の支持本体部２１と、支持本体部２１を外壁１００に取り付ける取付部３１とを備える。支持本体部２１は、取付部３１に対して回動可能に設けられる。支持本体部２１は、溝部２２と、溝部２２に連なって屋外側先端に設けられる差し込み部２３と、取付部３１側に設けられる後端部２４を含む。溝部２２は、支持本体部２１の長手方向に沿って延びている。溝部２２は、後述する物干し杆４の先端を移動可能に受け入れるために、窓１０１に面する側が開口している。
【００３０】
差し込み部２３は、溝部２２の上下方向の幅よりも大きく形成されている。差し込み部２３は、物干し杆４を受け入れるとともに、後述するロールスクリーン構造体１０の中間骨材１７と係合する。
【００３１】
ここで、支持部材２０に設ける架け渡される物干し杆４について説明する。図４（Ｂ）は、物干し杆４の先端部を拡大して示す斜視図である。図４（Ｂ）を参照して、支持部材２０に架け渡される物干し杆４について説明する。物干し杆４は、たとえばアルミ、ステンレスなどで形成されており、筒状の棒状部材である。物干し杆４は、杆本体４１と、杆本体４１の長手方向の両端を被覆する一対のキャップ部４２と、一対のキャップ部４２の先端部に取り付けられる掛止部４３とを含む。掛止部４３は、平板状の部材であり、ビス４４を介してキャップ部４２に固定されている。掛止部４３は、正面視において略平行四辺形状であり、キャップ部４２の外径よりも外径が大きくなるように形成されている。物干し杆４を支持部材２０に取り付けるには、物干し杆４の掛止部４３を支持部材２０の差し込み部２３に差し込んで、溝部２２に沿って回転して移動させる。溝部２２内には、複数の凹部（図示せず）が設けられており、任意の凹部に物干し杆４の掛止部４３を引っ掛けることで、支持部材２０の任意の位置に物干し杆４を固定することができる。
【００３２】
支持本体部２１および取付部３１の説明に戻る。図５を参照して、支持本体部２１の後端部２４は、取付部３１と係合する第１軸２５および第２軸２６と、安全装置である第１凹部２７および第２凹部２８と、第２軸２６が貫通する長尺状の長尺状貫通孔２９とを有する。
【００３３】
取付部３１は、取付本体部３２と、台座部３３と、後端部２４の第１軸２５が貫通する略Ｌ字状のＬ字状貫通孔３４とを有する。Ｌ字状貫通孔３４は、取付本体部３２の略中央部に設けられている。取付本体部３２の上方には、安全装置としてのロック部３５が設けられている、ロック部３５は、取付本体部３２の上方に取り付けられるロック軸３７と、爪部３６と、取付本体部３２から上方に突出するつまみ部３８とを有する。
【００３４】
支持部材２０は、外壁１００に沿う位置と、外壁１００からほぼ垂直に立ち上がる位置とに位置変更可能に設けられる。つまり、支持部材２０は、折り畳み可能である。なお、外壁１００に沿う位置とは、外壁１００に対して平行に設けられるだけでなく、支持部材２０の先端が外壁１００に近づいて設けられることを含む。また、外壁１００からほぼ垂直に立ち上がる位置とは、水平に設けられるだけでなく、約２０°程度まで傾斜して設けられることも含む。
【００３５】
図５を参照して、支持部材２０の立ち上げ方法について詳細に説明する。図５（Ａ）は、支持部材２０が折り畳まれている状態、すなわち、支持部材２０が外壁１００に沿う位置にある状態を示す図である。図５（Ａ）に示すように、支持部材２０が折り畳まれている状態では、安全装置としてのロック部３５の爪部３６が後端部２４の第１凹部２７に係合している。
【００３６】
図５（Ｂ）〜図５（Ｄ）は、支持部材２０を使用状態、すなわち、支持部材２０を外壁１００からほぼ垂直に立ち上げる動作を示す図である。図５（Ｂ）に示すように、支持部材２０を立ち上げるためには、まず、安全装置を解除するために、ロック部３５のつまみ部３８に手を引っ掛けてロック軸３７を中心に回動させる。これにより、爪部３６と第１凹部２７との係合は解除され、第１軸２５を中心に後端部２４は上方に回動する。図５（Ｃ）に示すように、支持部材２０の後端部２４が取付部３１と略水平になったら、後端部２４を取付部３１側に向かって矢印方向に押し込む。これにより、図５（Ｄ）に示すように、第２軸２６をＬ字状貫通孔３３内で右方にスライドすると同時に、第１軸２５を長尺状貫通孔３９内で右方向にスライドする。以上の方法により、ロック部３５の爪部３６は第２凹部２８に係合し、安全装置をセットすることができ、支持部材２０を物干し杆４の支持棒として支持することができる。
【００３７】
次に、ロールスクリーン構造体１０について詳細に説明する。
【００３８】
＜ロールスクリーン構造体について＞
図６を参照して、ロールスクリーン構造体１０は、ホルダ１１と、ロール状に巻かれて、ホルダ１１から下方に向かって引き出し可能に設けられたシート材１４と、シート材１４の先端に取り付けられた先端骨材１８と、先端骨材１８とホルダとの間に位置し、シート材１４の幅方向に沿って延び、上下動自在に設けられた中間骨材１７とを備えている。
【００３９】
ホルダ１１は、底面に開口部１１１を有する箱状体であり、たとえばアルミなどで形成されている。ホルダ１１は、建物の窓１０１の上部枠１０２の長手方向に沿って延びている。ホルダ１１は、外壁１００に取り付けられる第１ホルダ１２と、第１ホルダ１２に取り付けられる第２ホルダ１３とを含む。第１ホルダ１２は、ロールスクリーン構造体１０の外壁１００への取付け面としての裏面（屋内側の面）と下面とを形成し、第２ホルダ１３は、ロールスクリーン構造体１０の上面および表面（屋外側の面）を形成する。第１ホルダ１２の裏面は、上下に整列するネジ１２１などで、外壁１００に取り付けられている。ネジ１２１は、ホルダ１１の長手方向両端部にそれぞれ設けられる。第１ホルダ１２と第２ホルダ１３との間には、ホルダ１１の幅方向に沿って延びる開口部１１１が形成されている。開口部１１１は、ホルダ１１の下面に形成されている。なお、第１ホルダ１２、第２ホルダ１３および外壁１００の間には、シーリング１１２が設けられている。ホルダ１１の長手方向両端部には、板金で形成されたカバー（図示せず）が取り付けられている。
【００４０】
ホルダ１１は、シート材１４をロール状に巻き付ける主ロール１４１と、主ロール１４１から離れて位置し、シート材１４の送り出し方向を転換させる中継ロール１３１とを含む。主ロール１４１は、中継ロール１３１よりも屋内側に設けられている。開口部１１１は、中継ロール１３１の下方に設けられている。シート材１４が中継ロール１３１を経由して送り出されることで、シート材１４同士が干渉しないため、シート材１４を送り出しを容易に行うことができる。ホルダ１１は、シート材１４の収納時に、中間骨材１７の上面に当接するストッパ部１３２を有している。ストッパ部１３２は、中継ロール１３１よりも下方で、屋外側に設けられている。
【００４１】
シート材１４は、たとえばターポリン生地、テント生地、メッシュ生地などであり、陽射しだけでなく雨を防ぐことができる素材であることが好ましい。シート材１４は、その先端が樹脂１４２で覆われている。
【００４２】
ロールスクリーン構造体１０は、シート材１４を収納方向に付勢するバネ（図示せず）をさらに備えていてもよい。これにより、シート材１４をホルダ１１内に収納する際に、シート材１４を自動的に収納することができる。
【００４３】
先端骨材１８は、たとえばアルミで形成されている長尺状の部材である。先端骨材１８は、シート材１４の幅方向に沿って延びていてもよい。先端骨材１８は、上方に開口を有している。その開口には、上述したシート材１４の樹脂１４２が挟持されている。これにより、先端骨材１８を引き出すと同時にシート材１４が引き出される。先端骨材１８の屋内側には、手を引っ掛けやすくするための引っ掛け部１８１が形成されている。引っ掛け部１８１は、先端骨材１８の裏面に設けられている。また、引っ掛け部１８１は、先端骨材１８の長手方向に沿って設けられていてもよい。
【００４４】
中間骨材１７は、たとえばアルミで形成されている長尺状の部材である。上述のように、中間骨材１７は、シート材１４の幅方向に沿って延びている。中間骨材１７は、シート材１４を挟んで表側に設けられる表側部材１６と、裏側に設けられる裏側部材１５とを含む。表側部材１６と裏側部材１５は対向して設けられ、表側部材１６と裏側部材１５の間にシート材１４を通すための隙間が設けられている。これにより、中間骨材１７は、シート材１４に沿って上下動自在に設けられる。中間骨材１７は、先端骨材１８の上方に設けられる。中間骨材１７の長手方向両端部には、その両端を支持するカバー（図示せず）がそれぞれ取り付けられている。このカバーは、支持部材２０の差し込み部２３に取り外し可能に差し込まれて、支持部材２０の先端部に固定される。これにより、中間骨材１７は、支持部材２０の先端に係合される。なお、中間骨材１７は、先端骨材１８の幅方向長さ、高さ方向長さ、および奥行き方向長さと略同一であるため、先端骨材１８と中間骨材１７とは一体的であるような印象を与え、意匠性を向上させることができる。
【００４５】
ホルダ１１の中継ロール１３１と開口部１１１との間には、先端骨材１８と中間骨材１７とが収納される。中間骨材１７がストッパ部１３２に当接した状態において、先端骨材１８の下面は、ホルダ１１の開口部１１１の高さ位置と面一、または、開口部よりも奥まって位置する。これにより、中間骨材１７および先端骨材１８を完全にホルダ１１内に収納することができるため、意匠性を向上させることができる。
【００４６】
中間骨材１７の表側部材１６の表側（屋外側の面）には、シート材１４を引き出す際に用いる引き出し部材１９が取り付けられている。引き出し部材１９は、帯状部材であり、長尺状のロープ部１９１と、ロープ部１９１の先端に取り付けられる把持部１９２とを有する。引き出し部材１９が中間骨材１７に設けられることにより、引き出し部材１９を下方に引っ張るだけで、中間骨材１７と先端骨材１８を同時に引き出すことができる。
【００４７】
＜使用方法について＞
図１，３，７，８を特に参照して、オーニング装置２の使用方法について説明する。なお、図３，７，８におけるロールスクリーン構造体１０は、理解容易のため、透視図にして示す。
【００４８】
図１（Ａ）に示すように、オーニング装置２を使用しない場合には、一対の支持部材２０を外壁１００に沿うように折り畳んでおく。これにより、外壁１００からの突出物がないため、ベランダ構造１の意匠性を向上させることができる。
【００４９】
図１（Ｂ）および図３に示すように、たとえば洗濯物などを天日干しする場合には、一対の支持部材２０を外壁１００に対して垂直にし、支持部材２０の溝部２２に複数の物干し杆４を掛け渡す。支持部材２０を使用状態にするには、図５のロック部３５を解除して支持部材２０を立ち上げて、再度ロック部３５をロックする。物干し杆４を支持部材２０に取り付けるには、図４（Ｂ）の物干し杆４の掛止部４３を支持部材２０の差し込み部２３に差し込んで、物干し杆４をスライドさせて任意の凹部に掛止部４３を引っ掛けることにより行う。
【００５０】
図１（Ｃ）および図７に示すように、たとえば日よけや弱い雨の雨除けをする場合には、シート材１４を屋外側に向かって斜め下方へ引き出して中間骨材１７を支持部材２０の差し込み部２３に固定する。具体的には、中間骨材１７の表面に取り付けられた引き出し部材１９（図１（Ｃ））を下方に引き、中間骨材１７と先端骨材１８を下方に移動させて、シート材１４を下方に引き出す。中間骨材１７の長手方向両端に設けられるカバー（図示せず）と支持部材２０の差し込み部２３とは、互いに係合し合う係合部および被係合部を含む。つまり、中間骨材１７の当該カバーを支持部材２０の差し込み部２３に係合させる。これにより、シート材１４を張った状態で支持部材２０の先端に固定することができ、シート材１４は斜め下方に張り出して屋根のような形状とすることができる。
【００５１】
図１（Ｄ）および図８に示すように、たとえば目隠しや強い雨の雨除けをする場合には、先端骨材１８をさらに下方に引き出して手摺部５の先端部５１に取り付ける。具体的には、先端骨材１８の引っ掛け部１８１に手を掛けて、下方に引き出す。すると、中間骨材１７が支持部材２０の差し込み部２３に係合された状態で、先端骨材１８だけが下方に移動して、シート材１４が下方に引き出される。先端骨材１８と手摺部５の先端部５１とは、互いに係合し合う係合部および被係合部を含む。つまり、先端骨材１８は、手摺部５の先端部５１に設けられたフック５２などで手摺部５に固定される。なお、先端骨材１８は、手摺部５の屋外側に固定されることが好ましいが、手摺部５の形状、使用態様によっては、手摺部５の屋内側に固定されたり、手摺部５の上面などに固定されていてもよい。
【００５２】
このような構成により、ロールスクリーン構造体１０の中間骨材１７を支持部材２０の先端に取り付けるだけで、窓１０１の一部分を覆うような状態にすることができ、中間骨材１７を支持部材２０に取り付けた状態で、さらにロールスクリーン構造体１０の先端骨材１８を下方に引き出すだけで、窓１０１の全体を覆うような状態にすることができる。つまり、使用者の要望に合わせて、シート材１４の高さ位置を簡単に調節することができる。また、オーニング装置２を使用しないときは、シート材１４をホルダ１１内に収納し、支持部材２０から物干し杆４を取り外し、支持部材２０を折りたたむことができるため、外観的な意匠性を向上させることができる。また、シート材１４の幅方向に沿って延びる中間骨材１７を設けることで、上記いずれの形態にする際にもシート材１４を張った状態で固定することができる。
【００５３】
以下に、ロールスクリーン構造体１０の変形例について説明する。
【００５４】
＜ロールスクリーン構造体の変形例について＞
図９は、ロールスクリーン構造体の変形例を示す断面図である。以下に、上記実施の形態のロールスクリーン構造体１０との相違点のみ詳細に説明する。
【００５５】
図９を参照して、ロールスクリーン構造体１０の変形例であるロールスクリーン構造体１０Ａについて説明する。ロールスクリーン構造体１０Ａは、ホルダ１１Ａおよび先端骨材１８Ａの形状、先端骨材１８Ａおよび中間骨材１７がホルダ１１Ａ内に設けられていない点においてロールスクリーン構造体１０と異なっている。
【００５６】
ホルダ１１Ａは、断面において略正方形状であり、第１ホルダ１２Ａと第２ホルダ１３Ａとを含む。第１ホルダ１２Ａは、外壁１００への取付け面としての裏面と上面とを形成し、第２ホルダ１３Ａは、表面および下面を形成する。ホルダ１１Ａの下面において、第１ホルダ１２Ａと第２ホルダ１３Ａの間には開口部１１１Ａが設けられている。開口部１１１Ａは、外壁１００側に設けられている。ホルダ１１Ａの開口部１１１Ａは、シート材１４Ａの先端位置の下方に設けられる。先端骨材１８Ａは、先端骨材１８と比較して、引っ掛け部１８１Ａがやや小さく設けられている。ロールスクリーン構造体１０Ａは、先端骨材１８Ａおよび中間骨材１７がホルダ１１Ａに収納されておらず露出しているため、上述したロールスクリーン構造体１０と比較して簡易な構造である。
【００５７】
なお、本実施の形態におけるオーニング装置２は、建物のベランダ構造１に設けられるとして説明したが、オーニング装置２単体として個別に提供してもよい。
【００５８】
また、本実施の形態におけるロールスクリーン構造体１０は、建物のベランダ構造１に設けられ、オーニング装置２の構成の１つであるとして説明したが、ロールスクリーン構造体１０として個別に提供してもよい。
【００５９】
また、本実施の形態において、中間骨材１７は、表側部材１６と裏側部材１５とを含むとして説明したが、少なくとも裏側部材１５が設けられていればよい。
【００６０】
また、本実施の形態において、ホルダ１１，１１Ａは、箱状であり、第１ホルダ１２，１２Ａと第２ホルダ１３，１３Ａとを含むとした。しかし、ホルダ１１，１１Ａは、少なくともシート材１４を支持していればよく、必ずしも箱状である必要はない。ホルダ１１、１１Ａは、たとえば、シート材１４の上方を覆う形状であればよい。
【００６１】
また、本実施の形態において、中間骨材１７は支持部材２０の先端に取り付けられ、シート材１４は斜め下方に張り出しているとして説明したが、必ずしも中間骨材１７は支持部材２０に取り付けられなくてもよく、ホルダ１１の直下に中間骨材１７を取り付けて、シート材１４を外壁１００に沿わせるように設けてもよい。
【００６２】
また、本実施の形態において、ロールスクリーン構造体１０，１０Ａは、外壁１００に取り付けられるとして説明したが、限定的ではない。ロールスクリーン構造体１０，１０Ａは、たとえば、別部材を介して外壁１００に取り付けられていてもよいし、外壁１００に取り付けられていなくてもよい。
【００６３】
また、本実施の形態において、ベランダ構造１が用いられる建物として、例示的に住宅であるとしたが、人が居住する建物だけではなく、たとえば飲食店など、人が使用する建物に用いられてもよい。
【００６４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６５】
１１  ベランダ構造、２  オーニング装置、３  床面、４  物干し杆、５  手摺部、１０，１０Ａ  ロールスクリーン構造体、１１，１１Ａ  ホルダ、１２，１２Ａ  第１ホルダ、１３，１３Ａ  第２ホルダ、１４，１４Ａ  シート材、１５  裏側部材、１６  表側部材、１７，１７Ａ  中間骨材、１８，１８Ａ  先端骨材、１９  引き出し部材、２０  支持部材、２１  支持本体部、２２  溝部、２３  差し込み部、２４  後端部、２５  第１軸、２６  第２軸、２７  第１凹部、２８  第２凹部、３１  取付部、３２  取付本体部、３３  台座部、３４  Ｌ字状貫通孔、３９  長尺状貫通孔、３５  ロック部、３６  爪部、３７  ロック軸、３８  つまみ部、４１  杆本体、４２  キャップ部、４３  掛止部、４４  ネジ、５１  先端部、５２  フック、１００  外壁、１０１  開口枠（窓）、１０２  上部枠、１０３  側枠、１１１，１１１Ａ  開口部、１３１  中継ロール、１３２  ストッパ部、１４１  主ロール、１４２  樹脂、１８１  引っ掛け部、１９１  ロープ部、１９２  把持部。
【図１】
2020070606.tif 000003
【図２】
2020070606.tif 000004
【図３】
2020070606.tif 000005
【図４】
2020070606.tif 000006
【図５】
2020070606.tif 000007
【図６】
2020070606.tif 000008
【図７】
2020070606.tif 000009
【図８】
2020070606.tif 000010
【図９】
2020070606.tif 000011